(57)【要約】【課題】背ずりの移動完了時の衝撃力が小さくなり、背ずりの移動がスムーズな背ずり転換シートを提供することを課題とする。【解決手段】座ぶとん、第１のリンク１１１、第２のリンク１２１、背ずり５５で、座ぶとんが固定された四節回転機構を形成し、座ぶとん側に、背ずり５５が一方の方向へ移動したときに、第１のリンク１１１が当接し、それ以上の第１のリンク１１１の回転を禁止するストッパゴム１６１と、背ずり５５が他方の方向へ移動したときに、第２のリンク１２１が当接し、それ以上の第２のリンク１２１の回転を禁止するストッパゴム１６３と、第１のリンク１１１がストッパゴム１６１に当接する方向に移動すると、第１のリンク１１１に押されて弾性変形する第１の弾性部２０５と、第２のリンク１２１がストッパゴム１６３に当接する方向に移動すると、第２のリンク１２１に押されて弾性変形する第２の弾性部２０７とを設ける。【選択図】図１
2007196890.tif 000002
【特許請求の範囲】
【請求項１】
座ぶとんに対して背ずりが前後方向に移動して、シートの向きが反転する背ずり転換シートにおいて、
一端部側が座ぶとんに回り対偶で取り付けられ、他端部側が前記背ずりに回り対偶で取り付けられ、前後方向に揺動可能な第１のリンクと、
該第１のリンクと前後方向に並設され、一端部側が座ぶとんに回り対偶で取り付けられ、他端部側が前記背ずりに回り対偶で取り付けられ、前後方向に揺動可能な第２のリンクとを設け、
前記座ぶとん、前記第１のリンク、前記第２のリンク、前記背ずりで、前記座ぶとんが固定された四節回転機構を形成し、
前記座ぶとん側に、
前記背ずりが前後方向のうちの一方の方向へ移動したときに、前記第１のリンクが当接し、それ以上の前記第１のリンクの回転を禁止する第１のストッパと、
前記背ずりが前後方向のうちの他方の方向へ移動したときに、前記第２のリンクが当接し、それ以上の前記第２のリンクの回転を禁止する第２のストッパと、
前記第１のリンクが前記第１のストッパに当接する方向に移動すると、前記第１のリンクに押されて弾性変形する第１の弾性部材と、
前記第２のリンクが前記第２のストッパに当接する方向に移動すると、前記第２のリンクに押されて弾性変形する第２の弾性部材と、
を設けたことを特徴とする背ずり転換シート。
【請求項２】
前記第１の弾性部材と、前記第２の弾性部材とは、一体となった板ばねであることを特徴とする請求項１記載の背ずり転換シート。
【発明の詳細な説明】
【技術分野】
【０００１】
本発明は、座ぶとんに対して背ずりが前後方向に移動して、シートの向きが反転する背ずり転換シートに関する。
【背景技術】
【０００２】
図３に座ぶとん１に対して背ずり３が前後方向に移動して、シートの向きが反転する背ずり転換シート５の説明を行なう。
図に示すように、座ぶとん１の側面には、円弧状のガイド７が形成されている。一方、背ずり３には、ガイド７に移動可能に係合するピン９、１１が設けられている。
【０００３】
又、一端部側が座ぶとん１に回転可能に取り付けられ、他端部側にはピン９が移動可能に係合する長穴１３が形成され、前後方向に揺動可能な第１のリンク１５と、第１のリンク１５と前後方向に並設され、一端部側が座ぶとん１に回転可能に取り付けられ、他端部側にはピン１１が移動可能に係合する長穴１７が形成され、前後方向に揺動可能な第２のリンク１９とが設けられている。
【０００４】
このような背ずり転換シート５においては、ピン１１がガイド７の一方の端部（図において右側の端部）に当接し、一方の位置（実線位置）にある背ずり３が、他方の位置（二点鎖線で示す位置）へ移動する場合、ピン９、１１がガイド７に沿って移動する。又、ピン９、１１の移動に伴って、第１のリンク１５、第２のリンク１９も回転する。その際、ピン９、１１は第１のリンク１５、第２のリンク１９の長穴１３、１７に沿って移動する。そして、ピン９がガイド７の他方の端部（図において左側の端部）に当接することで、移動が完了する。
【０００５】
このような構成によれば、ガイド７の半径を大きく設定することにより、背ずり３が移動の時の高低差が小さくなり操作力が軽くなる（例えば、特許文献１参照）。
【特許文献１】実用新案登録第２５３９９８９号公報（図２）
【発明の開示】
【発明が解決しようとする課題】
【０００６】
しかし、図３に示すよう構成の背ずり転換シートでは、以下のような問題点がある。
（１）ガイド７の半径を大きく設定することにより、背ずり３が移動の時の高低差が小さくなり操作力が軽くなるが、軽くなった分、背ずり３の移動速度が上がり、ピン９、１１がガイド７の端部に当接した際の衝撃力は大きい。
（２）第１のリンク１５、第２のリンク１９にピン９、１１が係合する箇所は、長穴１３、長穴１５なので、ピン９、１１を保持する能力は少ない。よって、背ずり３の移動時に、ピン９、１１がガイド７に対してこじれた状態となりやすく、スームズな背ずり３の移動ができない。
【０００７】
本発明は、上記問題点に鑑みてなされたもので、その第１の課題は、背ずりの移動完了時の衝撃力が小さくなる背ずり転換シートを提供することにある。
第２の課題は、背ずりの移動がスムーズな背ずり転換シートを提供することにある。
【課題を解決するための手段】
【０００８】
請求項１に係る発明は、座ぶとんに対して背ずりが前後方向に移動して、シートの向きが反転する背ずり転換シートにおいて、一端部側が座ぶとんに回り対偶で取り付けられ、他端部側が前記背ずりに回り対偶で取り付けられ、前後方向に揺動可能な第１のリンクと、該第１のリンクと前後方向に並設され、一端部側が座ぶとんに回り対偶で取り付けられ、他端部側が前記背ずりに回り対偶で取り付けられ、前後方向に揺動可能な第２のリンクとを設け、前記座ぶとん、前記第１のリンク、前記第２のリンク、前記背ずりで、前記座ぶとんが固定された四節回転機構を形成し、前記座ぶとん側に、前記背ずりが前後方向のうちの一方の方向へ移動したときに、前記第１のリンクが当接し、それ以上の前記第１のリンクの回転を禁止する第１のストッパと、前記背ずりが前後方向のうちの他方の方向へ移動したときに、前記第２のリンクが当接し、それ以上の前記第２のリンクの回転を禁止する第２のストッパと、前記第１のリンクが前記第１のストッパに当接する方向に移動すると、第１のリンクに押されて弾性変形する第１の弾性部材と、前記第２のリンクが前記第２のストッパに当接する方向に移動すると、第２のリンクに押されて弾性変形する第２の弾性部材と、を設けたことを特徴とする背ずり転換シートである。
【０００９】
背ずりは、第１のリンクが第１のストッパに当接する位置と、第２のリンクが第２のストッパに当接する位置との間で移動する。
第１のリンクが第１のストッパに当接する方向に移動すると、第１のリンクによって第１の弾性部材が弾性変形する。同様に、第２のリンクが第２のストッパに当接する方向に移動すると、第２のリンクによって第２の弾性部材が弾性変形する。
【００１０】
請求項２に係る発明は、前記第１の弾性部材と、前記第２の弾性部材とは、一体となった板ばねであることを特徴とする請求項１記載の背ずり転換シートである。
【発明の効果】
【００１１】
請求項１〜請求項２に係る発明によれば、第１のリンクが第１のストッパに当接する方向に移動すると、第１のリンクに押されて第１の弾性部材が弾性変形し、移動する背ずりの運動エネルギーが減少し、第１のリンクが第１のストッパに当接する際の衝撃力が小さくなる。同様に、第２のリンクが第２のストッパに当接する方向に移動すると、移動する背ずりの運動エネルギーが減少し、第２の弾性部材が弾性変形し、第２のリンクが第２のストッパに当接する際の衝撃力が小さくなる。即ち、背ずりの移動完了時の衝撃力が小さくなる。
【００１２】
又、第１の弾性部材、あるいは第２の弾性部材の弾性反発力により次の背ずりの移動の際の操作力も低減される。
更に、一端部側が座ぶとんに回り対偶で取り付けられ、他端部側が前記背ずりに回り対偶で取り付けられ、前後方向に揺動可能な第１のリンクと、該第１のリンクと前後方向に並設され、一端部側が座ぶとんに回り対偶で取り付けられ、他端部側が前記背ずりに回り対偶で取り付けられ、前後方向に揺動可能な第２のリンクとを設け、前記座ぶとん、前記第１のリンク、前記第２のリンク、前記背ずりで、前記座ぶとんが固定された四節回転機構を形成したことにより、背ずりの移動がスムーズとなる。
【００１３】
請求項２に係る発明によれば、前記第１の弾性部材と、前記第２の弾性部材とは、一体となった板ばねであることにより、取り付ける手間で少なくてすむ。
【発明を実施するための最良の形態】
【００１４】
最初に、図２を用いて、本形態例の背ずり転換シートの全体構成を説明する。図２（ａ）は正面図、図２（ｂ）は左側面図である。これらの図において、背ずり転換シート５１は、着座者の臀部を支持する座ぶとん５３と、着座者の背部を支持する背ずり５５とを有している。座ぶとん５３は床５７上に設けられた２つの脚台５９上に設けられている。又、背ずり転換シート５１の両サイドには、ひじ掛け６１、６１’が設けられている。そして、後述する機構により、座ぶとん５３に対して背ずり５３が前後方向（図において矢印Ｚ方向）に移動して、シートの向きが反転するようになっている。
【００１５】
次に、図１を用いて背ずり５５を移動させる機構を説明する。図１は図２の一方の側のひじ掛け６１を取り除いた状態の斜視図である。尚、他方のひじ掛け６１’側にも背ずり５５を移動させる機構があるが、同一構造なので説明は省略する。
【００１６】
図において、座ぶとん５３はふとん受け１０１を介して脚台５９上に設けられている。ふとん受け１０１には、座ぶとん５３の左右方向（図において矢印Ｓ方向）に延出し、座ぶとん５３の左右方向に沿って並ぶ貫通穴１０１ａ、１０１ｂが設けられている。これらの貫通穴１０１ａ、１０１ｂには、ピン１０３、ピン１０５が回転可能に嵌合している。
【００１７】
ピン１０３の背ずり転換シート５１の外側に突出した部分には、第１のリンク１１１の下部が固着されている。又、ピン１０５の背ずり転換シート５１の外側に突出した部分には、第２のリンク１２１の下部が固着されている。
【００１８】
背ずり５５の側面の下部には、背ずり受け金具１５１が設けられている。
背ずり受け金具１５１には、ピン１５３を用いて第１のリンク１１１の上部が、ピン１５５を用いて第２のリンク１２１の上部がそれぞれ回転可能に取り付けられている。
【００１９】
即ち、第１のリンク１１１は、一端部側が座ぶとん５３に回り対偶で取り付けられ、他端部側が背ずり５５に回り対偶で取り付けられ、前後方向に揺動可能なリンクとなり、第２のリンク１２１は、第１のリンク１１１と前後方向に並設され、一端部側が座ぶとん５３に回り対偶で取り付けられ、他端部側が背ずり５５に回り対偶で取り付けられ、前後方向に揺動可能なリンクとなっている。
【００２０】
従って、ふとん受け１０１（座ぶとん５３）と、第１のリンク１１１と、第２のリンク１２１と、背ずり受け金具１５１（背ずり５５）とで、ふとん受け１０１（座ぶとん５３）が固定された四節回転機構が形成され、背ずり５５は座ぶとん５３に対して座ぶとん５３の前後方向（図において矢印Ｚ方向）に移動可能となっている。
【００２１】
ふとん受け１０１の前部には、ストッパゴム１６１が設けられた第１のストッパ部１０１ｃが形成されている。一方、第１のリンク１１１には、第１のストッパ部１０１ｃのストッパゴム１６１に当接可能な突部１１１ａが形成されている。第１のストッパ部１０１ｃと、ストッパゴム１６１とで、第１のリンク１１１が当接し、それ以上の第１のリンク１１１の回転を禁止する第１のストッパが形成されている。
【００２２】
ふとん受け１０１の後部には、ストッパゴム１６３が設けられた第２のストッパ部１０１ｄが形成されている。一方、第２のリンク１２１には、第２のストッパ部１０１ｄのストッパゴム１６３に当接可能な突部１２１ａが形成されている。第２のストッパ部１０１ｄと、ストッパゴム１６３とで、第２のリンク１２１が当接し、それ以上の第２のリンク１２１の回転を禁止する第２のストッパが形成されている。
【００２３】
ピン１０３の背ずり転換シート５１の内側に突出した部分には、第１のサブリンク２１１の下部が固着されている。又、ピン１０５の背ずり転換シート５１の内側に突出した部分には、第２のサブリンク２２１の下部が固着されている。
【００２４】
第１のサブリンク２１１の上部と、他方の側の機構の第１のサブリンクの上部とは、第１のパイプ１７１で連結されている。又、第１のサブリンク２２１の上部と、他方の側の機構の第２のサブリンクの上部とは、第２のパイプ１７３で連結されている。
【００２５】
脚台５９上には、板ばね２０１が設けられている。この板ばね２０１は、前後方向に延出し、脚台５９に取り付けられる基部２０３と、基部２０３の前部から折曲され上方に延出し、第１のサブリンク２１１が当接可能な第１の弾性部２０５（第１の弾性部材）と、基部２０３の後部から折曲され上方に延出し、第２のサブリンク２２１が当接可能な第２の弾性部２０７（第２の弾性部材）とからなっている。第１のサブリンク２１１の板ばね２０１の第１の弾性部２０５に当接する箇所には、当接部分を覆うステンレスのカバー２１３が取り付けられている。又、第２のサブリンク２２１の板ばね２０１の第２の弾性部２０７に当接する箇所には、当接部分を覆うステンレスのカバー２２３が取り付けられている。
【００２６】
このような構成によれば、以下のような効果を得ることができる。
（１）図２（ｂ）での実線位置の背ずり５５を二点鎖線位置へ移動させる場合、即ち、第１のリンク１１１の突部１１１ａがストッパゴム１６１（第１のストッパ部）に当接する方向に移動すると、第１のサブリンク２１１のカバー２１３が板ばね２０１の第１の弾性部２０５を押し、第１の弾性部２０５が弾性変形し、移動する背ずり５５の運動エネルギーが減少する。よって、第１のリンク１１１の突部１１１ａがストッパゴム１６１（第１のストッパ部）に当接する際の衝撃力が小さくなる。
【００２７】
同様に、第２のリンク１２１の突部１２１ａがストッパゴム１６３（第２のストッパ部）に当接する方向に移動すると、第２のサブリンク２２１のカバー２２３が板ばね２０１の第２の弾性部２０７を押し、第２の弾性部２０７が弾性変形し、移動する背ずり５５の運動エネルギーが減少する。よって、第２のリンク１２１の突部１２１ａがストッパゴム１６３（第１２ストッパ部）に当接する際の衝撃力が小さくなる。
（２）板ばね２０１の第１の弾性部２０５、あるいは第２の弾性部２０７の弾性反発力により、次の背ずりの移動の際の操作力も低減される。
（３）ふとん受け１０１（座ぶとん５３）と、第１のリンク１１１と、第２のリンク１２１と、背ずり金具１５１（背ずり５５）とで、ふとん受け１０１（座ぶとん５３）が固定された四節回転機構が形成したことにより、背ずり５５の移動がスムーズとなる。
（４）第１の弾性部材である第１の弾性部２０５と、第２の弾性部材としての第２の弾性部２０７とは、一体となった板ばね２０１であることにより、取り付ける手間で少なくてすむ。
【図面の簡単な説明】
【００２８】
【図１】形態例の発明部分を説明する図で、図２の一方の側のひじ掛けを取り除いた状態の斜視図である。
【図２】形態例の背ずり転換シートの全体構成を説明する図で、（ａ）図は正面図、（ｂ）図は左側面図である。
【図３】従来の背ずり転換シートを説明する図である。
【符号の説明】
【００２９】
５３  座ぶとん
５５  背ずり
１１１  第１のリンク
１２１  第２のリンク
１６１  ストッパゴム（第１のストッパ）
１６３  ストッパゴム（第２のストッパ）
２０１  板ばね
２０５  第１の弾性部（第１の弾性部材）
２０７  第２の弾性部（第２の弾性部材）
【図１】
2007196890.tif 000003
【図２】
2007196890.tif 000004
【図３】
2007196890.tif 000005